(57)【特許請求の範囲】
【請求項１】
谷折り線を介して二つ折りに開閉可能な第１および第２から成る包装紙体と、前記第１および第２から成る包装紙体に跨がるようにしてそれぞれ谷折り線を介して連結され、且つ前記第１および第２の包装紙体を区画する前記谷折り線に連続して山折り線を施したフラップ部材と、前記フラップ部材に棒状物を保持することができる保持部材を形成させた棒状物の包装体であって、前記第１および第２からなる包装紙体の開動作によって、前記各包装紙体を面一状に展開した場合、前記保持部材が前記各包装紙体と面一状に展開できるように構成され、且つ、各包装紙体の閉動作によって、前記各包装紙体とフラップ部材との間に施された前記谷折り線および前記フラップ部材に施された山折り線の折り畳み動作によって、前記保持部材が第１および第２の包装紙体の間に収納されるように構成したことを特徴とする棒状物の包装体。
【請求項２】
前記フラップ部材に施した山折り線により区画されるフラップ部材の少なくとも一片に、棒状物を保持することができる保持部材を形成したことを特徴とする請求項１に記載された棒状物の包装体。
【請求項３】
前記第１および第２からなる包装紙体を面一状に展開した状態において、各包装紙体とフラップ部材との間に施された各谷折り線がＶ字状に交差するように構成され、且つ前記第１および第２の包装紙体を区画する谷折り線と前記フラップ部材に施された山折り線とがほぼ直線状となるように構成したことを特徴とする請求項２に記載された棒状物の包装体。
【請求項４】
前記保持部材が、前記フラップ部材に施された少なくとも二条のスリットにより構成され、前記各スリットによって挟まれたフラップ部材の裏面とフラップ部材の表面との間において、棒状物が保持されるように構成したことを特徴とする請求項１ないし請求項３のいずれか記載された棒状物の包装体。
【請求項５】
前記第１および第２から成る包装紙体の一方に切り込み部が形成されると共に、他方に前記切り込み部に挿入可能な差し込み片が一体に形成され、前記各包装紙体を谷折り線を介して二つ折りに閉じた状態において、前記切り込み部に対する前記差し込み片の挿入により、包装状態が保持できるように構成したことを特徴とする請求項１ないし請求項４のいずれかに記載された棒状物の包装体。
【発明の詳細な説明】
【０００１】
【発明の属する技術分野】
この発明は、例えば鉛筆やボールペン等に代表される棒状物を包装するために用いられる棒状物の包装体に関する。
【０００２】
【従来の技術】
例えば、筆記具等の商品を広告・宣伝する場合、当該商品を展示会場や販売店等において展示・陳列することが行われる。また、商品を特定の顧客に対して直接配布することもある。このように、商品を展示・陳列あるいは配布するような場合においては、例えば紙製の包装体によって商品を包装した状態で取り扱われる。
【０００３】
従来のこの種の包装体の例としては、例えば実開昭６１−７４５７９号公報に開示されたものを挙げることができる。図５は、前記公報に開示された筆記具包装体を示したものであり、符号５１で示された筆記具包装体は、その外観が紙製の角形箱体によって形成されている。この筆記具包装体５１は、広告・宣伝対象としての筆記具５２を挿抜可能に収容する無底角筒状の本体５３と、この本体５３の両開口部を開閉する二つの蓋体５４，５５とを備えている。前記蓋体５４，５５には、前記本体５３の両開口部内に差し込み可能な折曲片５４ａ，５５ａが形成されている。
【０００４】
また、前記筆記具包装体５１は、前記本体５３内に筆記具５２を保持する保持片５６と、前記本体５３を前記蓋体５４，５５と共に開閉する補助蓋５７とを備えている。前記筆記具包装体５１には、前記保持片５６によって保持された筆記具５２を視認可能な開口窓５８が前記本体５３および前記蓋体５４に跨って形成されている。
【０００５】
このような筆記具包装体において、本体５３内の筆記具５２を外部に取り出すには、蓋体５４の折曲片５４ａを本体５３から引き抜いて本体５３を開口し、次に筆記具５２の保持片５６に対する保持状態を解除しながら、本体５３外に筆記具５２を引き抜くことにより行う。
【０００６】
一方、本体５３内に筆記具５２を収容保持（包装）するには、本体５３内に開口部から筆記具５２を挿入しながら保持片５６に形成された軸筒保持用の開口に筆記具の軸筒を挿入することにより筆記具５２を保持せしめ、次に蓋体５４の折曲片５４ａを本体５３内に差し込んで本体５３（開口部）を閉塞する操作が必要となる。
【０００７】
【発明が解決しようとする課題】
ところで、前記した筆記具包装体においては、保持片５６が本体内の固定された位置に配置されているために、筆記具を包装する場合においては、保持片の位置、特に保持片５６に形成された軸筒保持用の開口の位置を確かめつつ本体５３内に収納しなければならないため、特に筆記具の包装作業において、その取り扱いに慣れが必要であるという難点を抱えている。また、軸筒保持用の開口の位置を確かめずに無造作に筆記具を挿入した場合においては、前記保持片５６を変形させて、なおさら筆記具の包装作業を困難にするという問題も抱えている。
【０００８】
さらにまた、前記した構成の筆記具包装体においては、その外観が角柱状の箱体により形成されているので、その表面積も限られており、格別な宣伝効果を上げるという点で制約を受けざるを得ないという問題も抱えている。
【０００９】
この発明は、このような課題を解決するためになされたもので、鉛筆やボールペン等に代表される棒状物の包装時における挿入作業およびその取り出し時における引き抜き作業を容易にし、その包装を展開した場合において、格別な宣伝効果を上げることができる棒状物の包装体を提供することを目的とするものである。
【００１０】
【課題を解決するための手段】
前記した目的を達成するためになされたこの発明に係る棒状物の包装体は、谷折り線を介して二つ折りに開閉可能な第１および第２から成る包装紙体と、前記第１および第２から成る包装紙体に跨がるようにしてそれぞれ谷折り線を介して連結され、且つ前記第１および第２の包装紙体を区画する前記谷折り線に連続して山折り線を施したフラップ部材と、前記フラップ部材に棒状物を保持することができる保持部材を形成させた棒状物の包装体であって、前記第１および第２からなる包装紙体の開動作によって、前記各包装紙体を面一状に展開した場合、前記保持部材が前記各包装紙体と面一状に展開できるように構成され、且つ、各包装紙体の閉動作によって、前記各包装紙体とフラップ部材との間に施された前記谷折り線および前記フラップ部材に施された山折り線の折り畳み動作によって、前記保持部材が第１および第２の包装紙体の間に収納されるように構成した点に特徴を有する。
【００１１】
そして、１つの好ましい実施の形態においては、前記フラップ部材に施した山折り線により区画されるフラップ部材の少なくとも一片に、棒状物を保持することができる保持部材を形成させた構成とされる。
【００１２】
この場合においては、好ましくは前記第１および第２からなる包装紙体を面一状に展開した状態において、各包装紙体とフラップ部材との間に施された各谷折り線がＶ字状に交差するように構成され、且つ前記第１および第２の包装紙体を区画する谷折り線と前記フラップ部材に施された山折り線とがほぼ直線状となるように構成される。
【００１３】
また、好ましい実施の形態においては、前記保持部材が前記フラップ部材に施された少なくとも二条のスリットにより構成され、前記各スリットによって挟まれたフラップ部材の裏面とフラップ部材の表面との間において、棒状物が保持されるように構成される。
【００１４】
加えて、前記第１および第２から成る包装紙体の一方に切り込み部が形成されると共に、他方に前記切り込み部に挿入可能な差し込み片が一体に形成され、前記各包装紙体を谷折り線を介して二つ折りに閉じた状態において、前記切り込み部に対する前記差し込み片の挿入により、包装状態が保持できるように構成されていることが望ましい。
【００１５】
前記した構成の棒状物の包装体によると、谷折り線を介して二つ折りに開閉可能な第１および第２から成る包装紙体を面一状に展開した場合には、棒状物としての例えば筆記具を保持する保持部材も面一状に展開される。したがって、この包装体を利用して包装される例えば筆記具を、前記保持部材に対して容易に保持させることができ、その操作性を向上させることができる。
【００１６】
この状態で、第１および第２から成る包装紙体を前記した谷折り線を介して閉じる操作を行うことで、前記保持部材に保持された筆記具は、第１および第２から成る包装紙体の間に入り込み包装状態になされる。
【００１７】
この場合、前記保持部材としてフラップ部材に二条のスリットを施した構成とすることで、各スリットによって挟まれたフラップ部材の裏面と表面との間において、筆記具等を保持させることが可能となる。したがって、格別な保持部材を必要とせず、包装体のコストダウンに寄与することができる。
【００１８】
さらに、前記した包装形態によると、ユーザが第１および第２から成る包装紙体を開放した場合、筆記具等は前記保持部材に保持された状態で、第１および第２から成る包装紙体と共に面一状に展開されるので、筆記具等の取り出しも容易になされる。この場合、展開された第１および第２から成る包装紙体の対向面に、例えば製品の特徴や、他の自社製品の宣伝、あるいはアンケート文等も印刷しておくことが可能であり、一層セールスプロモーション効果を上げることができる。
【００１９】
【発明の実施の形態】
以下、この発明にかかる包装体について、図に示す実施の形態に基づいて説明する。図１および図２は、その第１の実施の形態を示したものであり、図１は包装体の展開状態を、また図２は包装状態をそれぞれ斜視図によって示している。
【００２０】
図１および図２に示すように、符号１で示す包装体は、多少腰の強い１枚の厚紙により構成されており、図１に示すように、そのほぼ中央部には谷折り線ａを介して二つ折りに開閉可能な第１および第２から成る包装紙体１ａ，１ｂが形成されている。また、図１に示す状態の第１および第２の包装紙体１ａ，１ｂの上端部のほぼ中央部分から、前記谷折り線ａの中央部寄りに至るように、谷折り線ｂ１，ｂ２がＶ字状に交差するように施されており、この谷折り線ｂ１，ｂ２により、包装紙体１ａ，１ｂを跨ぐようにして上部フラップ部材１ｃが区画されている。そして、上部フラップ部材１ｃには、前記谷折り線ａに連続するようにして山折り線ｃが施されている。
【００２１】
また、図１に示す状態の第１および第２の包装紙体１ａ，１ｂの下端部のほぼ中央部分から、前記谷折り線ａの中央部寄りに至るように、谷折り線ｄ１，ｄ２がＶ字状に交差するように施されており、この谷折り線ｄ１，ｄ２により、包装紙体１ａ，１ｂを跨ぐようにして下部フラップ部材１ｄが区画されている。そして、下部フラップ部材１ｄには、前記谷折り線ａに連続するようにして山折り線ｅが施されている。
【００２２】
この実施の形態においては、前記した下部フラップ部材に施した山折り線ｅにより区画される一方のフラップ部材１ｄに対して、棒状物に代表される筆記具２を着脱可能に保持するための保持片３が一体に打ち抜き加工されており、この保持片３には、前記谷折り線ａに直交する方向に、若干長尺な矩形状部３ａが形成されている。また、前記矩形状部３ａの長手方向の中央部には谷折り線ｆが施されており、この谷折り線ｆと直交する前記矩形状部３ａのほぼ中央部には、二条のスリット４，５が施されている。
【００２３】
前記二条のスリット４，５に挟まれた矩形状部３ａの裏面を押し上げることにより、矩形状部の表面と裏面との間において、挿通部６が形成される。この構成により、筆記具２の軸筒を前記谷折り線ｆに沿わせながら、挿通部６に挿入することで、矩形状部の表面と裏面との間において、筆記具２の軸筒を保持する保持部材７が構成されている。
【００２４】
また、前記した第１および第２から成る包装紙体１ａ，１ｂの一方、すなわち、図１に示す状態において、包装紙体１ａ側の自由端近傍には前記谷折り線ａにほぼ平行するように切り込み部８が形成されている。また、包装紙体１ｂ側の自由端には、前記谷折り線ａを介して包装紙体１ａ，１ｂを閉じた状態において、前記切り込み部８に挿入可能な差し込み片９が包装紙体１ｂに一体に形成されている。
【００２５】
前記した構成によると、図１に示すように筆記具２を保持部材７によって保持させた状態で、第１および第２の包装紙体１ａ，１ｂを、その中央部に形成した谷折り線ａを利用して閉じる動作を行うことで、上部フラップ部材１ｃは、Ｖ字状に交差する谷折り線ｂ１，ｂ２、およびその中央に形成された山折り線ｃを介して折り畳まれ、上部フラップ部材１ｃは包装紙体１ａ，１ｂの間に屈曲された状態で収容される。
【００２６】
また同時に下部フラップ部材１ｄも、Ｖ字状に交差する谷折り線ｄ１，ｄ２、およびその中央に形成された山折り線ｅを介してそれぞれの方向に折り畳まれ、下部フラップ部材１ｄは包装紙体１ａ，１ｂの間に屈曲された状態で収容される。この時、下部フラップ部材１ｄに一体に形成された矩形状部３ａは、谷折り線ｄ１による屈曲に伴い、図２に示すように第１および第２の包装紙体１ａ，１ｂの間に若干傾いた状態で挟み合わされる。
【００２７】
そして、図２に示すように一方の包装紙体１ａに施された前記した切り込み部８に対して、他方の包装紙体１ｂに形成された差し込み片９を挿通させることにより、第１および第２の包装紙体１ａ，１ｂはその展開が阻止され、包装状態が維持される。この場合、必要に応じて透明樹脂による包装袋にさらに収容して、展示販売等を行うことができる。
【００２８】
また、図２に示した包装状態において、前記差し込み片９を切り込み部８から引き抜くことで、前記包装紙体１ａ，１ｂを展開させることが可能となる。この状態で、中央部に施された前記谷折り線ａを介して包装紙体１ａ，１ｂを面一状に展開させると、前記した上部フラップ部材１ｃも面一状に展開し、これと同時に前記した下部フラップ部材１ｄも面一状に展開する。したがって、下部フラップ部材１ｄに一体に形成された矩形状部３ａも、図１に示すように面一状に展開される。これにより、包装状態にされていた筆記具２は、図１に示すように露出されるので、容易にこれを取り外すことができる。
【００２９】
ここで、前記包装紙体１ａ，１ｂを展開した場合には、見開き状態となるので、当該部分に前記したように例えば製品の特徴や、他の自社製品の宣伝、あるいはアンケート文等も印刷しておくことが可能であり、一層セールスプロモーション効果を上げることができる。
【００３０】
次に、図３および図４は、この発明にかかる包装体の第２の実施の形態を示したものであり、図３はその展開状態を、また図４は包装状態をそれぞれ斜視図によって示している。
【００３１】
図３および図４において、符号３１で示す包装体は、第１の実施の形態と同様に多少腰の強い１枚の厚紙により構成されており、図３に示すように、そのほぼ中央部には谷折り線ａを介して二つ折りに開閉可能な第１および第２から成る包装紙体３１ａ，３１ｂが形成されている。
【００３２】
前記第１の包装紙体３１ａには、この包装紙体３１ａの長手方向に沿って切り込み部３２が形成されている。また、第２の包装紙体３１ｂには、前記切り込み部３２内に挿抜可能な差し込み片３３が一体に形成されている。この差し込み片３３および前記切り込み部３２は、前記包装紙体３１ａ，３１ｂのそれぞれ長手方向のほぼ中央部に形成されている。なお、この実施の形態においては前記差し込み片３３の前記切り込み部３２に対する挿入は、前記包装紙体３１ａの側縁を覆うようにして行われる。
【００３３】
なお、前記包装紙体３１ａ，３１ｂの表裏面には、前記した第１の実施の形態と同様に、商品等を広告・宣伝するための情報の印刷が施されている。また、この実施の形態においては、前記包装紙体３１ｂには、包装された棒状物としての筆記具３４，３５の一部を視認可能にする開口部３１Ａ，３１Ｂが形成されている。
【００３４】
また、包装体３１の下端部には、前記第１および第２の包装紙体３１ａ，３１ｂに跨がるようにしてそれぞれ谷折り線ｄ１，ｄ２を介してフラップ部材３６が折り曲げ形成されている。そして、フラップ部材３６の中央には、第１および第２の包装紙体を区画する前記谷折り線ａに連続して山折り線ｅが施されている。これは前記した第１の実施の形態と同様である。
【００３５】
そして、図３に示すように、フラップ部材３６は第１および第２の包装紙体３１ａ，３１ｂの展開によって若干起立できるように構成されている。また、フラップ部材３６は図４に示すように、第１および第２の包装紙体３１ａ，３１ｂの閉動作によって、折り畳まれながら第１および第２の包装紙体３１ａ，３１ｂの内側に挟まれるようにして収容されるように構成されている。
【００３６】
前記フラップ部材３６には上下２段にわたって保持部材３８，３９が形成されている。そして、上段の保持部材３８の両外側には一対の谷折り線ｇ１，ｇ２が逆末広がり状に形成されている。また、下段の保持部材３９の両外側にも一対の谷折り線ｈ１，ｈ２が同様に逆末広がり状に形成されている。なお、前記一対の谷折り線ｇ１，ｇ２による交差角は、前記一対の谷折り線ｈ１，ｈ２による交差角よりも小さい角度に設定されている。
【００３７】
前記上段の保持部材３８は、第１の実施の形態と同様に二条のスリットにより挿通部４１が形成されており、これにより第１の筆記具３４を保持することができる。また、下段の保持部材３９も同様に二条のスリットにより挿通部４２が形成されており、これにより第２の筆記具３５を保持することができる。
【００３８】
なお、前記フラップ部材３６には、上段の保持部材３８の若干上部に横長の切り込み４３が形成されており、また、下段の保持部材３９の若干上部にも横長の切り込み４４が形成されている。これにより、前記フラップ部材３６が山折り線ｅを介して折り畳まれる場合において、フラップ部材３６は無理なく屈曲できるように作用する。
【００３９】
以上の構成において、前記フラップ部材３６に形成された上段の保持部材３８に対して筆記具３４を取り付けるには、図３に示すように山折り線ｅによって若干屈曲された状態のフラップ３６の裏面より、筆記具３４における軸筒を山折り線ｅに沿って挿入することで、筆記具３４は二条のスリットにより形成された保持部材３８によって保持される。この場合、前記保持部材３８を構成する二条のスリットにより囲まれた部分が、フラップ部材３６の裏面側に押し込まれた状態で筆記具３４が保持される。
【００４０】
また、前記フラップ部材３６に形成された下段の保持部材３９に対して筆記具３５を取り付けるには、図３に示すようにフラップ部材３６に形成された横長の切り込み４４を介してフラップ部材３６の裏面に、筆記具３５における軸筒を挿入することで、筆記具３５は二条のスリットにより形成された保持部材３９によって保持される。この場合も同様に、前記保持部材３９を構成する二条のスリットにより囲まれた部分が、フラップ部材３６の裏面側に押し込まれた状態で筆記具３５が保持される。
【００４１】
そして、第１および第２の包装紙体３１ａ，３１ｂを、その中央部に形成した谷折り線ａを利用して閉じる動作を行うことで、フラップ部材３６も、中央に施された山折り線ｅに沿って折り畳まれる。この場合、前記した各谷折り線ｇ１，ｇ２，ｈ１，ｈ２も折り畳まれ、図４に示すように各筆記具３４，３５は第１および第２の包装紙体１ａ，１ｂの間に若干傾いた状態で挟み合わされる。
【００４２】
そして、一方の包装紙体３１ａに施された前記した切り込み部３２に対して、他方の包装紙体３１ｂに施された差し込み片３３を挿通させることにより、第１および第２の包装紙体３１ａ，３１ｂはその展開が阻止され、包装状態が維持される。この場合、第１の実施の形態においてすでに説明したように、必要に応じて透明樹脂による包装袋にさらに収容して、展示販売等を行うことができる。
【００４３】
また、図４に示した包装状態において、前記差し込み片３３を切り込み部３２から引き抜くことで、前記包装紙体３１ａ，３１ｂを展開させることが可能となる。この状態で、中央部に施された前記谷折り線ａを介して包装紙体３１ａ，３１ｂを面一状に展開させると、前記した上部フラップ部材３６はその下端部の谷折り線ｄ１，ｄ２を介して、図３に示すように包装紙体３１ａ，３１ｂの面より若干起立する。したがって、包装状態にされていた筆記具３４、３５を容易に取り外すことができる。
【００４４】
また、この第２の実施の形態においても、包装を解いた状態においては前記包装紙体３１ａ，３１ｂは見開き状態となるので、当該部分に印刷された例えば製品の特徴や、他の自社製品の紹介等を効果的にユーザに認識させることができる。
【００４５】
なお、以上においてはこの発明にかかる包装体によって、鉛筆あるいはボールペン等の筆記具を包装する例にしたがって説明しているが、この発明にかかる包装体は、外形形状が棒状になされた例えば修正ペンや固形のり、さらには化粧品等の包装にも適用することができる。
【００４６】
【発明の効果】
以上の説明で明らかなとおり、この発明に係る包装体によると、１枚の用紙を例えば打ち抜き加工により形成されることができ、また包装を解いて見開き状態とした時の宣伝効果等も期待することができる。そして、包装時における筆記具等の挿入操作およびその取り出し時における引き抜き操作も単純且つ容易に行うことができる。
【図面の簡単な説明】
【図１】この発明にかかる第１の実施の形態を展開状態で示した斜視図である。
【図２】同じく包装状態で示した斜視図である。
【図３】この発明にかかる第２の実施の形態を展開状態で示した斜視図である。
【図４】同じく包装状態で示した斜視図である。
【図５】従来の筆記具包装体の一例を示す斜視図である。
【符号の説明】
１，３１                    包装体
１ａ，１ｂ，３１ａ，３１ｂ  包装紙体
１ｃ，１ｄ，３６            フラップ部材
２，３４，３５              筆記具（棒状物）
３                          保持片
４，５                      スリット
６，４１，４２              挿通部
７，３８，３９              保持部材
８，３２                    切り込み部
９，３３                    差し込み片
４３，４４                  切り込み
ａ，ｂ１，ｂ２，ｄ１，ｄ２  谷折り線
ｃ，ｅ                      山折り線
【図１】
0003937151.tif 000002
【図２】
0003937151.tif 000003
【図３】
0003937151.tif 000004
【図４】
0003937151.tif 000005
【図５】
0003937151.tif 000006